(57)【要約】【課題】同時給湯箇所を増やした場合でも、給湯負荷に湯を供給する給湯源が、特定の給湯源に偏らないようにした給湯システムを提供する。【解決手段】給湯システムは、複数系統の第１給湯源１ａ，１ｂと、ヘッダー管３と、圧力センサ６と、制御装置４を備える。複数系統の第１給湯源１ａ，１ｂの各々は、湯水を貯める貯湯タンク１１、及び、貯湯タンク１１内の湯水を温めるヒートポンプ１２を備える。ヘッダー管３には第１給湯源１ａ，１ｂの各々が配管Ｌ２を介して並列に接続され、各系統の第１給湯源１ａ，１ｂからの湯を合流させて給湯負荷側に送り出す。圧力センサ６は、ヘッダー管３から給湯負荷側に送られる湯の圧力を測定する。給湯負荷での湯の使用に応じて、圧力センサ６の測定値が所定の第１閾値Ｖ１以下になると、制御装置４は、順番に選択した系統のヒートポンプ１２を順次動作させる。【選択図】図１
2014142108.tif 000002
【特許請求の範囲】
【請求項１】
湯水を貯める貯湯タンク及び前記貯湯タンク内の湯水を温めるヒートポンプをそれぞれが備える複数系統の第１給湯源と、
複数系統の前記第１給湯源の各々が並列に接続され、各系統の前記第１給湯源からの湯を合流させて給湯負荷側に送り出すヘッダー管と、
前記ヘッダー管から前記給湯負荷側に送られる湯の圧力を測定する圧力センサと、
前記ヒートポンプの動作を制御するコントローラとを備え、
前記給湯負荷での湯の使用に応じて、前記圧力センサの測定値が所定の第１閾値以下になると、前記コントローラは、順番に選択した系統の前記ヒートポンプを順次動作させることを特徴とする給湯システム。
【請求項２】
給水源から全系統の前記貯湯タンクに供給される水の量を測定する測定手段を備え、
前記測定手段の測定値が所定の第２閾値以下になると、前記コントローラは、順番に選択した系統の前記ヒートポンプを順次停止させることを特徴とする請求項１記載の給湯システム。
【請求項３】
前記ヘッダー管に対して複数系統の前記第１給湯源と並列に接続された燃焼式の第２給湯源を備え、
全ての系統の前記ヒートポンプが動作している状態で、前記圧力センサの測定値が前記第１閾値以下になると、前記コントローラは前記第２給湯源の動作を開始させることを特徴とする請求項１又は２の何れかに記載の給湯システム。
【請求項４】
給水源から全系統の前記貯湯タンクに供給される水の量を測定する測定手段を備え、
前記測定手段の測定値が所定の第３閾値以下になると、前記コントローラは第２給湯源を停止させ、
前記測定手段の測定値が、前記第３閾値よりも低い所定の第２閾値以下になると、前記コントローラは、順番に選択した系統の前記ヒートポンプを順次停止させることを特徴とする請求項３記載の給湯システム。
【発明の詳細な説明】
【技術分野】
【０００１】
本発明は、給湯システムに関するものである。
【背景技術】
【０００２】
従来、ヒートポンプ式の給湯器で温めた湯を貯湯タンクに貯め、貯湯タンクから給湯負荷に湯を供給する給湯システムがあった（例えば特許文献１参照）。
【先行技術文献】
【特許文献】
【０００３】
【特許文献１】特開２０１１−１４９６５１号公報
【発明の概要】
【発明が解決しようとする課題】
【０００４】
上記特許文献１に開示された給湯システムでは、貯湯タンクから給湯負荷に湯が供給されるのであるが、貯湯タンクの内圧が所定の上限値以下に制限されるため、同時に給湯可能な負荷の数に制約があった。
【０００５】
一般家庭では同時給湯箇所が３箇所程度であるが、より大規模なシステムでは同時給湯箇所を２０箇所程度にしたいという要望がある。同時給湯箇所を増やすために、ヒートポンプ式給湯器及び貯湯タンクからなる給湯源を複数並列に接続して給湯負荷に湯を供給することが考えられる。この場合、給湯負荷での湯の使用量が多ければ、複数の給湯源から均等に湯が供給される。一方、給湯負荷での湯の使用量が少ない場合は、給湯負荷までの配管による圧力損失が小さい給湯源から湯が供給されることになり、圧力損失の大小によって給湯源の稼働時間にばらつきが発生していた。
【０００６】
そのため、給湯負荷までの配管による圧力損失が小さい給湯源ほど稼働時間が長くなり、寿命が短くなるという問題があった。
【０００７】
本発明は上記課題に鑑みて為されたものであり、その目的とするところは、同時給湯箇所を増やした場合でも、給湯負荷に湯を供給する給湯源が、特定の給湯源に偏らないようにした給湯システムを提供することにある。
【課題を解決するための手段】
【０００８】
本発明の給湯システムは、複数系統の第１給湯源と、ヘッダー管と、圧力センサと、コントローラとを備える。複数系統の第１給湯源の各々は、湯水を貯める貯湯タンク、及び、貯湯タンク内の湯水を温めるヒートポンプを備える。ヘッダー管には複数系統の第１給湯源の各々が並列に接続され、各系統の第１給湯源からの湯を合流させて給湯負荷側に送り出す。圧力センサは、ヘッダー管から給湯負荷側に送られる湯の圧力を測定する。コントローラはヒートポンプの動作を制御する。給湯負荷での湯の使用に応じて、圧力センサの測定値が所定の第１閾値以下になると、コントローラは、順番に選択した系統の前記ヒートポンプを順次動作させることを特徴とする。ここにおいて、ヒートポンプを選択する順番は、予め設定された固定的な順番でもよいし、乱数を発生させて出た数字をもとに順番を決めてもよい。
【０００９】
この給湯システムにおいて、給水源から全系統の貯湯タンクに供給される水の量を測定する測定手段を備え、測定手段の測定値が所定の第２閾値以下になると、コントローラは、順番に選択した系統のヒートポンプを順次停止させることも好ましい。
【００１０】
この給湯システムにおいて、ヘッダー管に対して複数系統の第１給湯源と並列に燃焼式の第２給湯源が接続され、全ての系統のヒートポンプが動作している状態で、圧力センサの測定値が第１閾値以下になると、コントローラが第２給湯源の動作を開始させることも好ましい。
【００１１】
この給湯システムにおいて、給水源から全系統の貯湯タンクに供給される水の量を測定する測定手段を備え、コントローラが、測定手段の測定値をもとに以下の制御を行うことも好ましい。測定手段の測定値が所定の第３閾値以下になると、コントローラは第２給湯源を停止させ、測定手段の測定値が、第３閾値よりも低い所定の第２閾値以下になると、コントローラは、順番に選択した系統のヒートポンプを順次停止させる。
【発明の効果】
【００１２】
本発明によれば、複数系統の第１給湯源がヘッダー管に並列に接続されており、複数系統の第１給湯源からヘッダー管を介して必要な圧力（第１閾値以上の所定圧力）で給湯負荷に湯を供給できる。したがって、給湯負荷に供給可能な湯量を増やすことができ、同時給湯箇所が増えるなどして給湯負荷での湯の使用量が増加した場合でも湯切れが起こりにくくなる。また、圧力センサの測定値が第１閾値以下になると、コントローラが、順番に選択した系統のヒートポンプを順次動作させているから、特定の系統の第１給湯源で、他の系統の第１給湯源よりも突出して稼働時間が長くなるのを抑制できる。よって、複数系統あるヒートポンプ式の第１給湯源で稼働時間を平均化することができ、全体として寿命を延ばすことができる。
【図面の簡単な説明】
【００１３】
【図１】本実施形態の給湯システムのシステム構成図である。
【図２】（ａ）はヘッダー管内部の圧力の時間変化を示す図、（ｂ）は給水源からの給水量の時間変化を示す図である。
【発明を実施するための形態】
【００１４】
以下に、本発明の実施の形態を図面に基づいて説明する。
【００１５】
図１は給湯システムのシステム構成図である。本実施形態の給湯システムは、ヒートポンプ式の第１給湯源１ａ，１ｂと、燃焼式の第２給湯源２と、ヘッダー管３と、制御装置４とを備える。
【００１６】
複数系統ある第１給湯源１ａ，１ｂは同一の構成を備えているので、第１給湯源１ａを例にして第１給湯源の構成を説明し、第１給湯源１ｂについては説明を省略する。第１給湯源１ａは、湯水を貯める複数台（例えば４台）の貯湯タンク１１、及び、貯湯タンク１１内の湯水を温める複数台（例えば４台）のヒートポンプ１２を備えている。尚、以下の説明において個々の第１給湯源について説明する場合は第１給湯源１ａ、第１給湯源１ｂと表記し、第１給湯源１ａ，１ｂに共通する説明を行う場合は第１給湯源１と表記する。
【００１７】
貯湯タンク１１は密閉型のタンクである。貯湯タンク１１の下部には給水源５からの配管Ｌ１が接続され、貯湯タンク１１の上部にはヘッダー管３への配管Ｌ２が接続されている。
【００１８】
配管Ｌ２の途中には電動弁１３が接続されており、この電動弁１３は制御装置４によって開閉される。制御装置４によって電動弁１３が開けられると、給水源５からの給水圧力によって、貯湯タンク１１から配管Ｌ２を介してヘッダー管３に湯水が送られる。また、給水源５から配管Ｌ１を介して貯湯タンク１１内に水が充填されることによって、貯湯タンク１１の内部は湯水で満たされた状態となる。
【００１９】
ヒートポンプ１２のコントローラ（図示せず）は、貯湯タンク１１からヘッダー管３へと湯が流れるのを流量センサ（図示せず）によって検知すると、貯湯タンク１１に貯められた湯を加熱する動作を開始する。尚、ヒートポンプ１２については従来周知であるから、その説明は省略する。
【００２０】
上述のように、貯湯タンク１１内の湯水はヒートポンプ１２によって温められ、貯湯タンク１１内に貯められた湯水の温度分布は下側ほど低温で、上側に行くほど高温になる。また、貯湯タンク１１から電動弁１３までの管路には、湯温を測定するための温度センサ１４が設けられている。
【００２１】
尚、本実施形態では２系統ある第１給湯源１ａ，１ｂの各々が４台の貯湯タンク１１と４台のヒートポンプ１２とで構成されているが、同時給湯箇所の数や瞬時給湯量や給湯箇所の高低差などの要求仕様に合わせて適宜変更が可能である。また、本実施形態ではヒートポンプ式の給湯源１ａ，１ｂを２系統備えているが、同時給湯箇所の数や瞬時給湯量や給湯箇所の高低差などの要求仕様に合わせて給湯源の系統数は適宜変更が可能である。
【００２２】
第２給湯源２は、燃料の燃焼による燃焼熱で水を温める燃焼式の給湯源である。本実施形態では第２給湯源２がガス給湯器２１を備えており、ガス給湯器２１には給水源５から配管Ｌ３を介して水が供給される。ガス給湯器２１で温められた湯は配管Ｌ４を介してヘッダー管３に送られる。配管Ｌ３の途中には減圧弁２３が接続されており、給水源５からの給水圧力を減圧弁２３が減圧することによって、第２給湯源２から吐出される湯の圧力と、第１給湯源１ａ，１ｂからそれぞれ吐出される湯の圧力を同程度にしている。また配管Ｌ４の途中には電動弁２２が接続されており、この電動弁２２は制御装置４によって開閉される。制御装置４によって電動弁２２が開けられると、給水圧力によって給水源５から配管Ｌ３→ガス給湯器２１→配管Ｌ４の経路で水が流れる。ガス給湯器２１のコントローラ（図示せず）は、ガス給湯器２１を通過する流量をモニタしており、この流量が所定の設定値を越えると、配管Ｌ３を介して流入する水を加熱し、配管Ｌ４を介してヘッダー管３に湯を供給する。
【００２３】
ヘッダー管３には、複数系統の第１給湯源１ａ，１ｂがそれぞれ配管Ｌ２（枝管）を介して並列に接続されている。また、ヘッダー管３には、複数系統の第１給湯源１ａ，１ｂと並列に第２給湯源２からの配管Ｌ４が接続されている。ここにおいて、複数系統の第１給湯源１ａ，１ｂ及び第２給湯源２からヘッダー管３に対して均等に湯が流れ込むように、ヘッダー管３は、第１給湯源１ａ，１ｂからの配管Ｌ２、及び、第２給湯源２からの配管Ｌ４に比べて、管径が大きめに設定されている。ヘッダー管３には、給湯負荷（図示せず）が接続される配管Ｌ５が接続されており、ヘッダー管３で合流された湯は配管Ｌ５を介して給湯負荷に送られる。
【００２４】
ここで、給湯負荷としては、厨房、洗面所、浴室などに設置された給水給湯栓や、給水給湯栓に接続された食器洗浄器などがある。ヘッダー管３には、給湯負荷側からの戻り配管Ｌ６が接続されている。戻り配管Ｌ６の途中には循環ポンプ８と加熱装置９とが接続されており、給湯負荷で消費されなかった湯は循環ポンプ８によって加熱装置９に送られた後、加熱装置９で所定の温度に加熱されてから、ヘッダー管３に戻される。
【００２５】
制御装置４には、ヘッダー管３内部の湯の圧力を測定する圧力センサ６の測定値と、給水源５から供給される水の量（給水量）を測定する量水器７の測定値が入力されている。
【００２６】
制御装置４は、圧力センサ６の測定値及び量水器７の測定値に基づいて、第１給湯源１ａ，１ｂがそれぞれ備える電動弁１３、及び、第２給湯源２が備える電動弁２２の開閉を制御する。尚、圧力センサ６は、ヘッダー管３内部の湯の圧力を測定しているが、ヘッダー管３に接続された配管Ｌ５内で湯の圧力を測定するものでもよい。
【００２７】
ここで、制御装置４が電動弁１３を開けると、貯湯タンク１１からヘッダー管３に湯が流れるので、上述のようにヒートポンプ１２のコントローラが、流量センサの検知結果に基づいて沸上動作を開始する。一方、制御装置４が電動弁１３を閉じると、貯湯タンク１１からヘッダー管３に湯が流れなくなるので、ヒートポンプ１２のコントローラが、流量センサの検知結果に基づいて沸上動作を停止する。而して、制御装置４は、貯湯タンク１１からヘッダー管３へ湯を送り出す電動弁１３の開閉を制御することによって、ヒートポンプ１２の動作を制御する。尚、制御装置４は、電動弁１３の開閉を制御することによって、ヒートポンプ１２の動作を制御しているが、その他の方法でヒートポンプ１２の動作を制御しても良い。例えば、制御装置４が、ヒートポンプ１２のコントローラに対して制御信号を出力することによって、ヒートポンプ１２の動作を直接制御しても良い。
【００２８】
以下に、本システムの動作を図２に基づいて説明する。尚、図２（ａ）は圧力センサ６によって測定される圧力の時間変化を示す図であり、図２（ｂ）は量水器７によって測定される給水量の時間変化を示す図である。
【００２９】
給湯負荷で湯が使用されていない状態では、ヘッダー管３内部の圧力は、第１給湯源１ａ，１ｂ及び第２給湯源２からそれぞれ供給される湯の設定圧力と略同じ圧力になる。制御装置４は、上記の設定圧力よりも低い圧力に第１閾値Ｐ１を設定しており、圧力センサ６の測定値が第１閾値Ｐ１を上回っていれば、電動弁１３，２２を全て閉じ、第１給湯源１ａ，１ｂのヒートポンプ１２及びガス給湯器２１を全て停止させる。
【００３０】
一方、給湯負荷で湯が使用されると、ヘッダー管３内部の湯の圧力が低下する。制御装置４は、圧力センサ６の測定値が第１閾値Ｐ１以下になると（図２の時刻ｔ１）、２系統ある第１給湯源１ａ，１ｂのうち、前回最後に停止させた第１給湯源１の電動弁１３を開き、前回最後に停止させた第１給湯源１のヒートポンプ１２を動作させる。例えば、前回最後に停止させた第１給湯源１が第１給湯源１ａであれば、制御装置４は、今回は第１給湯源１ａの電動弁１３を開いて、第１給湯源１ａのヒートポンプ１２を最初に動作させる。第１給湯源１ａの電動弁１３が開けられると、第１給湯源１ａの貯湯タンク１１から配管Ｌ２を介してヘッダー管３に湯が送られ、ヘッダー管３から配管Ｌ５を介して給湯負荷に湯が供給される。この時、第１給湯源１ａの貯湯タンク１１からヘッダー管３に湯が供給されることによって、ヘッダー管３内部の湯の圧力が上昇し、圧力センサ６の測定値は第１閾値Ｐ１を上回る。そして、第１給湯源１ａの給湯能力が、給湯負荷による湯の使用量を上回っていれば、ヘッダー管３内部の湯の圧力は所定の設定圧に維持される。
【００３１】
その後、同時給湯の給湯箇所が増えるなどして、給湯負荷で使用される湯量が多くなり、１系統の第１給湯源１ａだけでは給湯能力が不足すると、ヘッダー管３内部の圧力が低下する。そして、圧力センサ６の測定値が第１閾値Ｐ１以下になると（図２の時刻ｔ２）、制御装置４は、停止中の第１給湯源１ｂの電動弁１３を開いて、第１給湯源１ｂのヒートポンプ１２を動作させる。これにより、２系統ある第１給湯源１ａ，１ｂの両方から給湯負荷に湯が供給される。この時、第１給湯源１ａの貯湯タンク１１と第１給湯源１ｂの貯湯タンク１１とからヘッダー管３に湯が供給されることによって、ヘッダー管３内部の湯の圧力が上昇し、圧力センサ６の測定値は第１閾値Ｐ１を上回る。そして、第１給湯源１ａ，１ｂの給湯能力が、給湯負荷による湯の使用量を上回っていれば、ヘッダー管３内の湯の圧力は所定の設定圧に維持される。
【００３２】
その後、同時給湯の給湯箇所がさらに増えるなどして、給湯負荷で使用される湯量がさらに多くなり、ヒートポンプ式の第１給湯源１ａ，１ｂだけでは給湯能力が不足すると、ヘッダー管３内部の圧力が低下する。そして、圧力センサ６の測定値が第１閾値Ｐ１以下になると（図２の時刻ｔ３）、制御装置４は、電動弁２２を開いて、ガス給湯器２１を動作させる。これにより、２系統あるヒートポンプ式の第１給湯源１ａ，１ｂと、燃焼式の第２給湯源２とから給湯負荷に湯が供給される。そして、第１給湯源１ａの貯湯タンク１１と第１給湯源１ｂの貯湯タンク１１とガス給湯器２１とからヘッダー管３に湯が供給されることによって、ヘッダー管３内部の圧力が上昇し、圧力センサ６の測定値は第１閾値Ｐ１を上回る。ここで、第１給湯源１ａ，１ｂ及び第２給湯源２の給湯能力の合計が、給湯負荷による湯の使用量を上回っていれば、ヘッダー管３内の湯の圧力は所定の設定圧に維持される。
【００３３】
一方、同時給湯の給湯箇所が減るなどして給湯負荷で使用される湯量が減少した場合、ヘッダー管３内部の湯の圧力には変化が生じないので、圧力センサ６の測定値からは、給湯負荷で使用される湯量が減少したことを検出できない。そこで、制御装置４は、量水器７によって測定される給水量をもとに、給湯負荷で使用される湯量を求めている。そして、制御装置４は、量水器７の測定値をもとに給湯負荷で使用される水量が所定の閾値Ｖ１以下になったと判断すると（図２の時刻ｔ４）、先ず電動弁２２を閉じて、ガス給湯器２１を停止させる。
【００３４】
その後、同時給湯の給湯箇所が減るなどして給湯負荷で使用される湯量がさらに減少すると、給湯負荷で使用される湯量の減少に伴い、量水器７によって測定される給水量の測定値が低下する。そして、量水器７の測定値が所定の第２閾値Ｖ２以下になると（図３の時刻ｔ５）、制御装置４は、２系統ある第１給湯源１ａ、１ｂのうち、最初に稼働させた第１給湯源１ａの電動弁１３を閉じて、第１給湯源１ａのヒートポンプ１２を停止させる。
【００３５】
また、同時給湯の給湯箇所が減るなどして給湯負荷で使用される湯量がさらに減少すると、給湯負荷で使用される湯量の減少に伴い、量水器７の測定結果が低下する。そして、量水器７の測定値が所定の第２閾値Ｖ３以下になると（図３の時刻ｔ６）、制御装置４は、動作中の第１給湯源１ｂの電動弁１３を閉じて、第１給湯源１ｂのヒートポンプ１２を停止させる。
【００３６】
尚、制御装置４は、次回、給湯負荷で湯が使用された際に第１給湯源１ａ，１ｂを起動させる場合、前回最後に停止させた第１給湯源１ｂを最初に動作させるので、２系統ある第１給湯源１ａ，１ｂのうち、最初に動作させる第１給湯源１ａ、１ｂを順次交代させることができる。
【００３７】
以上説明したように、本実施形態の給湯システムは、複数系統の第１給湯源１ａ，１ｂと、ヘッダー管３と、圧力センサ６と、制御装置４（コントローラ）とを備える。複数系統ある第１給湯源１ａ，１ｂの各々は、湯水を貯める貯湯タンク１１、及び、貯湯タンク１１内の湯水を温めるヒートポンプ１２を備える。ヘッダー管３には、複数系統ある第１給湯源１ａ，１ｂの各々が配管Ｌ２を介して並列に接続され、各系統の第１給湯源１ａ，１ｂからの湯はヘッダー管３に合流されて給湯負荷側へ送り出される。圧力センサ６は、ヘッダー管３から給湯負荷側に送られる湯の圧力を測定する。制御装置４は、各系統の第１給湯源１ａ，１ｂが備えるヒートポンプ１２の動作を制御する。給湯負荷での湯の使用に応じて、圧力センサ６の測定値が所定の第１閾値Ｖ１以下になると、制御装置４は、順番に選択した系統のヒートポンプ１２を順次動作させている。
【００３８】
このように、本実施形態の給湯システムでは、複数系統の第１給湯源１ａ，１ｂがヘッダー管３に並列に接続されているので、複数系統の第１給湯源１ａ，１ｂからヘッダー管３を介して必要な圧力（第１閾値以上の所定圧力）で給湯負荷に湯を供給できる。したがって、給湯負荷に供給可能な湯量を増やすことができ、給湯負荷での湯の使用量が増加した場合でも湯切れが起こりにくくなる。また、複数系統の第１給湯源１ａ，１ｂがヘッダー管３に対して並列に接続された場合、第１給湯源１から給湯負荷までの距離（配管長）によって圧力損失が異なるため、圧力損失がより少ない第１給湯源１から湯が供給されやすくなる。そのため、特定の第１給湯源１の稼働時間が長くなって、その寿命が短くなる可能性がある。本実施形態では、給湯負荷での湯の使用に応じて、圧力センサ６の測定値が第１閾値Ｐ１以下になると、制御装置４が、順番に選択した系統のヒートポンプ１２を順次動作させるから、給湯負荷に湯を供給する給湯源が特定の系統の第１給湯源１に偏りにくくなる。よって、複数系統あるヒートポンプ式の第１給湯源１ａ，１ｂで稼働時間を平均化することができ、給湯システム全体として寿命を延ばすことができる。
【００３９】
尚、本実施形態ではヒートポンプ式の第１給湯源１が２系統のみであるが、ヒートポンプ式の第１給湯源１を３系統以上備えていても良い。その場合、コントローラは、複数系統ある第１給湯源１を動作させる順番を予め設定しておき、毎回１つずつ順番をずらして、最初に動作させる第１給湯源１を順次交代させることで、複数系統ある第１給湯源１の稼働時間を平均化することができる。例えばヒートポンプ式の第１給湯源１が４台ある場合（各給湯源を第１給湯源１ａ、第１給湯源１ｂ、第１給湯源１ｃ、第１給湯源１ｄと呼ぶ）、前回、第１給湯源１を動作させた順番が、第１給湯源１ａ→第１給湯源１ｂ→第１給湯源１ｃ→第１給湯源１ｄであれば、今回は動作させる順番を１つずつずらし、第１給湯源１ｂ→第１給湯源１ｃ→第１給湯源１ｄ→第１給湯源１ａの順番で各第１給湯源１を動作させるものとする。ここにおいて、制御装置４（コントローラ）が、複数系統ある第１給湯源１を順次動作させる順番は、予め設定された固定的な順番に限らず、例えば乱数を発生させて出た数字をもとに、次に動作させる第１給湯源１の系統或いは機番を決定してもよい。
【００４０】
また、制御装置４（コントローラ）は、複数系統ある第１給湯源１を停止させる順番を、複数系統ある第１給湯源１を動作させる順番と同じにしてある。これにより、複数系統ある第１給湯源１を停止させる順番を毎回１つずつずらすことで、複数系統ある第１給湯源１の稼働時間を平均化することができる。
【００４１】
また、本実施形態の給湯システムは、全ての系統の第１給湯源１が備える貯湯タンク１１に給水源５から供給される水の量を測定する量水器７（測定手段）を備えている。そして、量水器７の測定値が所定の第２閾値（上記の閾値Ｖ２、閾値Ｖ３）以下になると、制御装置４（コントローラ）は、順番に選択した系統のヒートポンプ１２を順次停止させている。
【００４２】
これにより、給湯負荷での湯の使用量が減少すると、第１給湯源１ａ，１ｂのヒートポンプ１２が順次停止されるから、各々の第１給湯源１が備えるヒートポンプ１２を休ませることで、第１給湯源１の寿命を延ばすことができる。
【００４３】
また、本実施形態の給湯システムでは、ヘッダー管３に対して複数系統の第１給湯源１ａ，１ｂと並列に接続された燃焼式の第２給湯源２を備えている。そして、全ての系統のヒートポンプ１２が動作している状態で、圧力センサ６の測定値が第１閾値Ｐ１以下になると、制御装置４（コントローラ）は第２給湯源２の動作を開始させている。
【００４４】
これにより、ヒートポンプ式の第１給湯源１ａ，１ｂでは給湯量が不足する場合には燃焼式の第２給湯源２で給湯量をバックアップすることができ、湯切れが発生しにくくなる。また、ヒートポンプ式の第１給湯源１ａ，１ｂでは給湯量が不足するまで、第２給湯源２の動作を開始させないので、ヒートポンプ式の第１給湯源１に比べて運転コストの高い第２給湯源２をできるだけ動かさないようにすることで、ランニングコストを低減できる。
【００４５】
また本実施形態では、量水器７（測定手段）の測定値が所定の第３閾値（上記の閾値Ｖ１）以下になると、制御装置４（コントローラ）は第２給湯源を停止させ、量水器７の測定値が、第３閾値よりも低い所定の第２閾値（上記の閾値Ｖ２，Ｖ３）以下になると、制御装置４は、順番に選択した系統のヒートポンプ１２を順次停止させている。
【００４６】
このように、給湯負荷で湯の使用量が減少すると、先ず最初に第２給湯源を停止させているので、第１給湯源よりも運転コストの高い第２給湯源の運転時間をできるだけ短くでき、給湯システムのランニングコストを低減できる。
【００４７】
尚、本実施形態では第２給湯源２としてガス給湯器２１を例示しているが、ガス以外の燃料（例えば油）を燃焼したときの熱で水を加熱する燃焼式の給湯源でもよいことは言うまでもない。
【符号の説明】
【００４８】
１ａ，１ｂ  第１給湯源
２  第２給湯源
３  ヘッダー管
４  制御装置（コントローラ）
６  圧力センサ
１１  貯湯タンク
１２  ヒートポンプ
Ｌ２  配管
Ｖ１  第１閾値
【図１】
2014142108.tif 000003
【図２】
2014142108.tif 000004